(57)【要約】【課題】必要な領域以外への紫外線の照射を低減することが可能な、携帯型の紫外線殺菌装置を提供する。【解決手段】紫外線殺菌装置であって、底面、側面、及び上面を有する筐体と、筐体中に配置され、筐体の上面に向けて紫外線を出射する面光源と、上面に押下可能に配列された、紫外線を透過する複数のキーと、キーと面光源との間に配置され、キーが押下されたときのみ面光源からの紫外線をキーに向けて通すシャッター機構とを備える、携帯用紫外線殺菌装置。【選択図】図１
2016182170.tif 000002
【特許請求の範囲】
【請求項１】
紫外線殺菌装置であって、
底面、側面、及び上面を有する筐体と、
前記筐体中に配置され、前記筐体の上面に向けて紫外線を出射する面光源と、
前記上面に押下可能に配列された、紫外線を透過する複数のキーと、
前記キーと前記面光源との間に配置され、前記キーが押下されたときのみ前記面光源からの紫外線を前記キーに向けて通すシャッター機構と
を備えることを特徴とする、携帯用紫外線殺菌装置。
【請求項２】
前記紫外線殺菌装置の平面視における前記キーの面積が０．０１〜２５ｃｍ２である、
請求項１に記載の紫外線殺菌装置。
【請求項３】
前記面光源は、導光板と、該導光板の端部に配置された紫外発光ダイオードとを有する、
請求項１または２に記載の紫外線殺菌装置。
【請求項４】
前記面光源が、波長２００ｎｍ〜３００ｎｍの紫外線を出射する、
請求項１〜３のいずれかに記載の紫外線殺菌装置。
【請求項５】
前記シャッター機構が、
各キーにつき一つ以上の開口部を有する固定遮蔽板と、
前記固定遮蔽板に回動可能に固定され、前記キーが押下されない限り前記開口部を閉塞する可動遮蔽板とを備え、
前記キーが押下されることにより、前記可動遮蔽板が回動し、前記面光源からの紫外線が前記開口部を通じて該押下されたキーに向けて通される、
請求項１〜４のいずれかに記載の紫外線殺菌装置。
【請求項６】
前記シャッター機構が、
複数のスリットを有する固定遮蔽板と、
前記固定遮蔽板の複数のスリットと重なることが可能に設けられた複数のスリットを有し、前記固定遮蔽板に接してスライド可能に配置された可動遮蔽板とを備え、
前記可動遮蔽板は、前記キーが押下されない限り該可動遮蔽板の複数のスリットが前記固定遮蔽板の複数のスリットと重なりを有しない位置に配置され、
前記キーが押下されることにより、前記可動遮蔽板が、該可動遮蔽板の複数のスリットが前記固定遮蔽板の複数のスリットと重なる位置にスライドし、当該重なった複数のスリットを通じて前記面光源からの紫外線が該押下されたキーに向けて通される、
請求項１〜４のいずれかに記載の紫外線殺菌装置。
【発明の詳細な説明】
【技術分野】
【０００１】
本発明は紫外線殺菌装置に関し、より詳しくは、接触部のみに紫外線を照射することが可能な携帯用紫外線殺菌装置に関する。
【背景技術】
【０００２】
従来、紫外線殺菌装置として様々な形態のものが知られている。
【０００３】
特許文献１には、携帯可能な駆動部にランプ保護部が設けられ、該ランプ保護部にはフラッシュランプが収納され、駆動部にはフラッシュランプのパルス発光を制御する制御部が収納されていることにより、食器や歯ブラシ等の日用雑貨の殺菌を迅速に行うことができる、携帯用の紫外線殺菌装置が開示されている。特許文献２には、掌大の紫外線照射部と紫外線照射部に取り付けられた握り部とを備え、手等を簡易に殺菌することができる、携帯用の紫外線殺菌装置が開示されている。
【先行技術文献】
【特許文献】
【０００４】
【特許文献１】特開２００５−３２３６５４号公報
【特許文献２】特開２００６−１７５０４１号公報
【特許文献３】特開２０１２−１３４１８２号公報
【発明の概要】
【発明が解決しようとする課題】
【０００５】
特許文献１、２に開示されている紫外線殺菌装置は、携帯用の紫外線殺菌装置でありながら比較的広い領域にわたって紫外線を照射する。人体、特に目等に対して紫外線が与える影響を考慮すると、紫外線は必要な領域のみに照射されることが望ましい。
【０００６】
そこで本発明は、必要な領域以外への紫外線の照射を低減することが可能な、携帯用紫外線殺菌装置を提供することを課題とする。
【課題を解決するための手段】
【０００７】
本発明の紫外線殺菌装置は、底面、側面、及び上面を有する筐体と、筐体中に配置され、筐体の上面に向けて紫外線を出射する面光源と、上面に押下可能に配列された、紫外線を透過する複数のキーと、キーと面光源との間に配置され、キーが押下されたときのみ前記面光源からの紫外線をキーに向けて通すシャッター機構とを備えることを特徴とする。
【０００８】
本発明の紫外線殺菌装置の一形態において、シャッター機構は、各キーにつき一つ以上の開口部を有する固定遮蔽板と、固定遮蔽板に回動可能に固定され、キーが押下されない限り開口部を閉塞する可動遮蔽板とを備え、キーが押下されることにより、可動遮蔽板が回動し、面光源からの紫外線が開口部を通じて該押下されたキーに向けて通される構成とすることができる。
【０００９】
本発明の紫外線殺菌装置の他の一形態において、シャッター機構は、複数のスリットを有する固定遮蔽板と、固定遮蔽板の複数のスリットと重なることが可能に設けられた複数のスリットを有し、固定遮蔽板に接してスライド可能に配置された可動遮蔽板とを備え、可動遮蔽板は、キーが押下されない限り該可動遮蔽板の複数のスリットが固定遮蔽板の複数のスリットと重なりを有しない位置に配置され、キーが押下されることにより、可動遮蔽板が、該可動遮蔽板の複数のスリットが固定遮蔽板の複数のスリットと重なる位置にスライドし、当該重なった複数のスリットを通じて面光源からの紫外線が該押下されたキーに向けて通される構成とすることができる。
【００１０】
本発明においては、紫外線殺菌装置の平面視における一のキーの面積が０．０１〜２５ｃｍ２であることが好ましい。
【００１１】
本発明における面光源は、導光板と、該導光板の端部に配置された紫外発光ダイオードとを有することが好ましく、また、面光源が発する紫外線の波長は２００ｎｍ〜３００ｎｍであることが好ましい。
【発明の効果】
【００１２】
本発明の紫外線殺菌装置は、シャッター機構を有することにより、接触部のみに紫外線照射を行うことが可能である。よって本発明によれば、必要な領域以外への紫外線の照射を低減することが可能な、携帯型の紫外線殺菌装置を提供することができる。
【図面の簡単な説明】
【００１３】
【図１】紫外線殺菌装置１０の構成を説明する図である。（ａ）は紫外線殺菌装置１０の平面図である。（ｂ）は紫外線殺菌装置１０の側面図である。
【図２】図１（ａ）のＡ−Ａ断面図である。
【図３】シャッター機構３０の構成を説明する図である。（ａ）は図２の部分拡大図であって、キー１２が押下されていない姿勢を表す図であり、（ｂ）は図２の部分拡大図であって、キー１２が押下された姿勢を表す図である。（ｃ）は（ａ）のＣ−Ｃ矢視図であって筐体１１を省略した図であり、（ｄ）は（ｂ）のＤ−Ｄ矢視図であって筐体１１を省略した図である。
【図４】シャッター機構４０の構成を説明する図であって、図３に対応する図である。（ａ）はキー１２が押下されていない姿勢を表す図であり、（ｂ）はキー１２が押下された姿勢を表す図である。（ｃ）は（ａ）のＥ−Ｅ矢視図であって筐体１１を省略した図であり、（ｄ）は（ｂ）のＦ−Ｆ矢視図であって筐体１１を省略した図である。
【発明を実施するための形態】
【００１４】
本発明の上記した作用および利得は、以下に説明する発明を実施するための形態から明らかにされる。以下、図面を参照しつつ、本発明の実施の形態について説明する。ただし、本発明はこれらの形態に限定されるものではない。なお、図では、一部の符号を省略することがある。
【００１５】
図１は、本発明の一の実施形態に係る紫外線殺菌装置１０の構成を説明する図である。図１（ａ）、（ｂ）は紫外線殺菌装置１０の平面図および側面図をそれぞれ表している。紫外線殺菌装置１０は、底面１１ａ、側面１１ｂ、１１ｃ、１１ｄ、１１ｅ、及び上面１１ｆを有する筐体１１と、上面１１ｆに押下可能に配列された、紫外線を透過する複数のキー１２、１２、…（以下において単に「キー１２」ということがある。）とを有している。紫外線殺菌装置１０の平面視における各キー１２の面積は０．０１〜２５ｃｍ２であることが好ましい。
【００１６】
筐体１１を構成する材料は、紫外線を通さない限りにおいて特に限定されず、例えば金属や樹脂等を採用できる。筐体１１の形状も特に限定されず、図１の紫外線殺菌装置１０は箱型の筐体１１を有している。
【００１７】
図２は図１（ａ）のＡ−Ａ断面図である。紫外線殺菌装置１０は、キー１２が押下されることにより収縮し、押下力が排除されるとキー１２を元の位置に復帰させるバネ１４を備えている。また、面光源１３は筐体１１中に配置され、筐体１１の上面に向けて紫外線を出射する。ここで図２中の矢印Ｂは、面光源１３から出射される紫外線の進行方向を表している。ただし紫外線は、図中の矢印Ｂが記載された部分だけを照射するものではなく、面光源１３の出光面１３ｄ全体から照射されている。シャッター機構３０はキー１２と面光源１３との間に配置されており、キー１２が押下されたときのみ面光源１３からの紫外線をキー１２に向けて通すことができる。
【００１８】
面光源１３は複数の紫外線発光ダイオード１３ａ、１３ａ、…（以下において単に「紫外線発光ダイオード１３ａ」ということがある。）と導光板１３ｂを有しており、紫外線発光ダイオード１３ａ、１３ａ、…は筐体１１の側面に沿って列状に複数配置されている。紫外線発光ダイオード１３ａは導光板１３ｂの一の端部１３ｃに対向して設けられており、導光板１３ｂの端部１３ｃに対して紫外線を照射する。紫外線発光ダイオード１３ａから出射された紫外線は端部１３ｃから導光板１３ｂ内に入射し、導光板１３ｂ内部において拡散、反射され、導光板１３ｂの出光面１３ｄから筐体１１の上面に向けて出射される。ここで、導光板１３ｂは上記の働きをする導光板ならば特に限定されることなく、公知の導光板を採用することができる。また、面光源１３から出射される紫外線の波長、すなわち紫外線発光ダイオード１３ａから出射される紫外線の波長は、２００ｎｍ〜３００ｎｍであることが好ましい。
【００１９】
図３は図２の部分拡大図であって、シャッター機構３０の構成を説明する図である。図３（ａ）はキー１２を押下する前の姿勢を表す図であり、図３（ｂ）はキー１２を押下した後の姿勢を表す図である。図３（ｃ）は図３（ａ）のＣ−Ｃ矢視図であり、図３（ｄ）は図３（ｂ）のＤ−Ｄ矢視図である。ただし図３（ｃ）及び（ｄ）において筐体１１は省略している。
【００２０】
シャッター機構３０は、キー１２と面光源１３との間に配置され、各キー１２につき一つ以上の開口部３５、３５（以下において単に「開口部３５」ということがある。）を有する固定遮蔽板３１と、ばね蝶番３３によって固定遮蔽板３１に回動可能に固定され、キー１２が押下されない限り開口部３５、３５を閉塞する可動遮蔽板３２、３２（以下において単に「可動遮蔽板３２」ということがある。）と、キー１２の裏面に設けられた押下片３４、３４（以下において単に「押下片３４」ということがある。）とを備えている。なお固定遮蔽板３１は筐体１１の内壁に固定されている。
【００２１】
図３（ａ）はキー１２を押下する前の姿勢を表している。この姿勢においては、シャッター機構３０は面光源１３からの紫外線をキー１２に向けて通さない。図３（ｂ）はキー１２を押下した後の姿勢を表している。この姿勢においては、キー１２が押下されたことにより押下片３４が可動遮蔽板３２を筐体１１の底面１１ａ側に回動させ、面光源１３からの紫外線が開口部３５を通じて押下されたキー１２に向けて通される。そして、キー１２への押下力が取り除かれると、バネ１４の復元力によってキー１２及び押下片３４が元の位置に戻り、同時にばね蝶番３３によって可動遮蔽板３２も元の位置に戻る。
【００２２】
固定遮蔽板３１と可動遮蔽板３２とを構成する材料は、紫外線を通さない限りにおいて特に限定されず、例えば金属や樹脂等を採用できる。
【００２３】
図３（ｃ）は図３（ａ）のＣ−Ｃ矢視図であり、固定遮蔽板３１および可動遮蔽板３２が表れている。図３（ｄ）は図３（ｂ）のＤ−Ｄ矢視図であり、固定遮蔽板３１および可動遮蔽板３２に加えて、開口部３５を通じて導光板１３ｂが表れている。図３（ｃ）及び（ｄ）に示すように、キー１２が押下されていない姿勢においては開口部３５は可動遮蔽板３２によって閉塞されているが、キー１２が押下されている姿勢においては開口部３５が開放され、面光源１３から開口部３５を通じてキー１２に向けて紫外線が通過することができる。
【００２４】
シャッター機構３０を備える紫外線殺菌装置１０において、キー１２を上方から押下すると、キー１２は下方に移動し、これによりバネ１４が収縮する。同時に、キー１２に設けられた押下片３４が可動遮蔽板３２を回動させ、面光源１３から出射された紫外線が可動遮蔽板３２の開口部３５を通じてキー１２に向けて通され、キー１２を透過して上方へ出射される。そして、キー１２への押下力が取り除かれると、バネ１４はキー１２及び押下片３４を元の位置に復帰させ、同時にばね蝶番３３が可動遮蔽板３２を元の位置に復帰させ、可動遮蔽板３２が固定遮蔽板３１の開口部３５を再び閉塞するので、面光源１３から出射された紫外線はキー１２に向けて通されなくなる。
【００２５】
従って、シャッター機構３０を備える紫外線殺菌装置１０によれば、押下されたキー１２のみを通じて該キー１２が押下されている間だけ紫外線を照射することができるため、所望の時間だけ紫外線照射を行い、かつ、必要な領域以外への紫外線の照射を低減することが簡易な構造で可能となる。
【００２６】
本発明に関する上記説明では、キー１２に対する押下力が取り除かれたときにバネ１４がキーを押下前の位置に押し戻す形態の紫外線殺菌装置１０を例示したが、本発明は当該形態に限定されない。キー１２に対する押下力が取り除かれたときにキー１２を押下前の位置に押し戻すための機構としては、公知の機構を制限なく採用することが可能である。そのような公知の機構としては、例えば特開２０１２−１３４１８２号公報に記載のような、ラバードーム等の弾性部材とリンク部材とを有する機構を挙げることができる。
【００２７】
本発明に関する上記説明では、キー１２の押下に連動して可動遮蔽板３２が筐体１１の底面１１ａ側に回動することにより固定遮蔽板３１の開口部３５の閉塞が解除される形態のシャッター機構３０を有する紫外線殺菌装置１０を例示したが、本発明は当該形態に限定されない。例えば、キーの押下に連動して可動遮蔽板が筐体の上面側に回動することにより固定遮蔽板の開口部の閉塞が解除される形態のシャッター機構を有する紫外線殺菌装置とすることも可能である。
【００２８】
また、本発明に関する上記説明では、各キー１２につき１つ以上の開口部３５を有する固定遮蔽板３１と、固定遮蔽板３１に回動可能に固定され、キー１２が押下されない限り開口部３５を閉塞する可動遮蔽板３２とを備え、キー１２が押下されることにより可動遮蔽板３２が回動し、面光源１３からの紫外線が開口部３５を通じて該押下されたキー１２に向けて通される形態のシャッター機構３０を有する紫外線殺菌装置１０を例示したが、本発明は当該形態に限定されない。本発明の紫外線殺菌装置におけるシャッター機構は、キーと面光源との間に配置され、キーが押下されたときのみ面光源からの紫外線を該押下されたキーに向けて通す限りにおいて、いかなる構成も採用可能である。例えば、可動遮蔽板がスライドする形態のシャッター機構を備える紫外線殺菌装置とすることも可能である。
【００２９】
図４は、そのような他の一の実施形態に係る紫外線殺菌装置におけるシャッター機構４０を説明する図であって、図３に対応する図である。図４において、図１〜３に既に現れた要素と同一の要素には図１〜３における符号と同一の符号を付し、説明を省略する。図４（ａ）はキー１２が押下されていない姿勢を表しており、図４（ｂ）はキー１２が押下された姿勢を表す図である。図４（ｃ）は図４（ａ）のＥ−Ｅ矢視図であり、図４（ｄ）は図４（ｂ）のＦ−Ｆ矢視図である。なお図４（ｃ）及び（ｄ）においては、筐体１１を省略している。
【００３０】
シャッター機構４０は、複数のスリット４１ａ、４１ａを有する固定遮蔽板４１と、固定遮蔽板４１の複数のスリット４１ａ、４１ａと重なることが可能に設けられた複数のスリット４２ａ、４２ａを有し、固定遮蔽板４１に接してスライド可能に配置された可動遮蔽板４２とを備えている。可動遮蔽板４２はバネ支持部４４に設けられたスライドバネ４３によって、キー１２が押下されない限り可動遮蔽板４２の複数のスリット４２ａ、４２ａが固定遮蔽板の複数のスリット４１ａ、４１ａと重なりを有しない位置に配置されている。さらに、シャッター機構４０は固定遮蔽板４１に設けられた貫通孔４１ｂと、キー１２の裏面に貫通孔４１ｂを通じて固定遮蔽板４１を貫通するように配置されたスライド板４３を備えている。
【００３１】
図４（ａ）はキー１２が押下されていない姿勢を表した図である。この姿勢においては面光源１３からの紫外線は固定遮蔽板４１及び可動遮蔽板４２によって遮断され、キー１２に向けて通されない。図４（ｂ）はキー１２を押下された姿勢を表した図であり、この姿勢においてはキー１２が押下されたことにより、スライド板４３によって可動遮蔽板４２が押され、可動遮蔽板４２はその複数のスリット４２ａ、４２ａが固定遮蔽板４１の複数のスリット４１ａ、４１ａと重なる位置にスライドし、当該重なった複数のスリット４１ａ、４１ａ、４２ａ、４２ａを通じて面光源１３からの紫外線が該押下されたキー１２に向けて通される。そして、キー１２の押下が解除されキー１２及びスライド板４３が元の位置に戻るとき、スライドバネ５３によって可動遮蔽板４２も元の位置に戻る。
【００３２】
固定遮蔽板４１と可動遮蔽板４２とを構成する材料は、紫外線を通さない限りにおいて特に限定されず、例えば金属や樹脂等を採用できる。
【００３３】
図４（ｃ）は図４（ａ）のＥ−Ｅ矢視図であって筐体１１を省略した図であり、固定遮蔽板４１、可動遮蔽板４２、およびスライド板４５が表れている。図４（ｄ）は図４（ｂ）のＦ−Ｆ矢視図であって筐体１１を省略した図であり、固定遮蔽板４１およびスライド板４５に加えて、スリット４１ａ、４１ａ、４２ａ、４２ａを通じて導光板１３ｂが表れている。図４（ｃ）及び（ｄ）に示すように、キー１２が押下されていないときには固定遮蔽板４１のスリット４１ａは可動遮蔽板４２によって閉じられており、面光源１３からの紫外線はキー１２に向かって通されない配置となっているが、キー１２が押下されたときには固定遮蔽板４１のスリット４１ａ、４１ａと可動遮蔽板４２のスリット４２ａ、４２ａとが重なっており、面光源１３からキー１２に向けて紫外線が通過できる配置となっている。なお図４（ａ）及び図（ｃ）に示すように、キー１２が押下されていない姿勢においては、固定遮蔽板４１の貫通孔４１ｂはスライド板４５によって閉塞されているので、貫通孔４１ｂを通じて面光源１３からの紫外線がキー１２に向けて漏洩することはない。
【００３４】
従って、シャッター機構４０を有する形態の紫外線殺菌装置によっても、押下されたキー１２のみを通じて押下されている間だけ紫外線照射を行うことができるため、所望の時間だけ紫外線照射を行い、かつ、必要な領域以外への紫外線の照射を低減することが簡易な構造で可能となる。
【符号の説明】
【００３５】
１０  紫外線殺菌装置
１１  筐体
１１ａ  底面
１１ｂ  側面
１１ｃ  側面
１１ｅ  側面
１１ｆ  上面
１２  キー
１３  面光源
１３ａ  紫外線発光ダイオード
１３ｂ  導光板
１３ｃ  端部
１３ｄ  出光面
１４  バネ
３０、４０  シャッター機構
３１  固定遮蔽板
３２  可動遮蔽板
３３  ばね蝶番
３４  押下片
３５  開口部
４１  固定遮蔽板
４１ａ  スリット
４１ｂ  貫通孔
４２  可動遮蔽板
４２ａ  スリット
４３  スライドバネ
４４  バネ支持部
４５  スライド板
【図１】
2016182170.tif 000003
【図２】
2016182170.tif 000004
【図３】
2016182170.tif 000005
【図４】
2016182170.tif 000006